(57)【要約】      （修正有）【課題】片方の耳だけが聴取困難な場合において、難聴耳側、或いは正常に聴取可能な良耳側を相手又は周囲の者に知らせることのできる一側性難聴表示具を提供する。【解決手段】一側性難聴において聴取が困難な難聴耳又は正常に聴取可能な良耳を知らせる為の一側性難聴表示具１１であって、難聴耳又は良耳を特定する為の文字、図柄及び記号の少なくとも何れかを表示する表示領域を備えた表示部２０と、表示部を難聴耳又は良耳に取り付ける為の取り付け部３０と、を有する。【選択図】図１
2020137105.tif 000002
【特許請求の範囲】
【請求項１】
一側性難聴において聴取が困難な難聴耳又は正常に聴取可能な良耳を知らせる為の一側性難聴表示具であって、
難聴耳又は良耳を特定する為の文字、図柄、及び記号の少なくとも何れかを表示する表示領域を備えた表示部と、
当該表示部を難聴耳又は良耳に取り付ける為の取り付け部とからなる、一側性難聴表示具
【請求項２】
前記表示領域は交換可能に形成されている請求項１に記載の一側性難聴表示具。
【請求項３】
前記表示部は、難聴耳又は良耳を覆う大きさに形成されており、
前記取り付け部は、右耳と左耳の両方に取り付け可能な互換性を有する、請求項１又は２に記載の一側性難聴表示具
【請求項４】
前記表示部において表示領域が存在する面の反対側の面には、当該面と交差する向きに突出する接合棒を設けており、
前記取り付け部は、耳介の裏側に嵌る形状に形成されると共に、当該取り付け部の厚さ方向の両側から前記接合棒を挿入可能とした接合孔を備えており、
前記接合孔に前記接合棒を内挿することにより、前記表示部と前記取り付け部とを連結する、請求項１〜３の何れか一項に記載の一側性難聴表示具。
【請求項５】
前記取り付け部は、耳介の裏側に嵌る形状に形成されると共に、その先端側には前記表示部を水平揺動自在に連結している、請求項１〜３の何れか一項に記載の一側性難聴表示具。
【請求項６】
前記取り付け部は、前記表示部において表示領域が存在する面の裏側に曲折する耳掛け部として形成されており、当該耳掛け部には、耳介における耳輪を内挿する耳掛け孔を設けた、請求項１〜３の何れか一項に記載の一側性難聴表示具。
【請求項７】
前記表示部は、耳介を覆う大きさに形成されており、
前記取り付け部は、当該表示部の縁部に、前記耳介の耳輪の裏側に回り込んで、当該耳輪を覆う形状に形成されている、請求項１〜３の何れか一項に記載の一側性難聴表示具。
【請求項８】
前記表示部は耳介を塞ぐ大きさに形成されており、
前記表示部の表示領域には、難聴耳であることを知らせる為の文字、図柄、及び記号の少なくとも何れかを表示している請求項１〜７の何れか一項に記載の一側性難聴表示具。
【発明の詳細な説明】
【技術分野】
【０００１】  本発明は、一方の耳の聴力が、良好な他方の耳の聴力よりも弱い一側性難聴を相手又は周囲に知らせる為の一側性難聴表示具に関し、特に良耳と難聴耳とを判別しやすくするための一側性難聴表示具に関する。
【背景技術】
【０００２】  一方の耳は正常であるが、もう一方の耳に軽度から重度の難聴となる症状として、一側性難聴がある。この一側性難聴では、一方の耳が正常に機能していることから、正常な良耳による聞き取りを行うための器具として様々な器具が提案されている。【０００３】  例えば特許文献１（特開平８−３０７９９７号公報）の背景技術の欄には、従来において、一側性難聴者が聴覚を補助するために用いる補聴器の１つで、難聴耳側にマイクを備え、このマイクで捉えた音声信号を良耳側に送り良耳で音声を聴く方式を採用しているクロス型補聴器が知られている。また、同様の方式で、良耳側にもマイクを備えたバイクロス型補聴器も知られていることが開示されている。【０００４】  また、従前においては難聴であることを周囲の人に知らせる為の器具もいくつか提案されている。例えば特許文献２（実開昭６０−１３６３３３号公報）では、老人や壮年などに難聴者が多く、道を歩くときに非常に危険であることに鑑みて、難聴者のための認識帽を提案している。この認識帽は、赤色のベレー帽に光反射体、庇のある帽子に赤色の光反射体をつけるものとなっている。【０００５】  そして特許文献３（特開２００６−３２０６９１号公報）では、身体を支えるために使用されている杖に、難聴者、中途失聴者が使用できる杖として、杖の持手の下、表面の上段に「難聴者」の欄を設け、下段に「筆談でお願い！」の欄を設け、杖の持手の下、裏面の上段に「中途失聴者」の欄を設け、下段に「大声でお願い！」の欄を設けた難聴者、中途失聴者の黄色い杖を提案している。
【先行技術文献】
【特許文献】
【０００６】
【特許文献１】特開平８−３０７９９７号公報
【特許文献２】実開昭６０−１３６３３３号公報
【特許文献３】特開２００６−３２０６９１号公報
【発明の概要】
【発明が解決しようとする課題】
【０００７】  前述の如く、従前においても一側性難聴者に適した補聴器は提案されているが、その構造の複雑さから比較的高価なものとなっていた。ここで一側性難聴者は、難聴耳ではない方の耳は聴取可能であることから、音の発する方に正常に機能している良耳側を向ければ聴取可能であり、高価な補聴器の必要性が乏しいものとなっていた。そして難聴であることを知らせる為の帽子や杖なども提案されているが、片耳難聴における良耳側を知らせることはできなかった。【０００８】  そこで本発明は、片方の耳だけが聴取困難な場合において、難聴耳側、或いは正常に聴取可能な良耳側を相手又は周囲に知らせることで、一側性難聴者の聞き取りにくさを解消する事のできる一側性難聴表示具を提供することを課題とする。
【課題を解決するための手段】
【０００９】  上記課題を解決するべく、本発明では一側性難聴者における難聴耳または良耳を相手又は周囲に知らせる事のできる一側性難聴表示具を提供する。【００１０】  即ち本発明では、一側性難聴において聴取が困難な難聴耳又は正常に聴取可能な良耳を知らせる為の一側性難聴表示具であって、難聴耳又は良耳を特定する為の文字、図柄、及び記号の少なくとも何れかを表示する表示領域を備えた表示部と、当該表示部を難聴耳又は良耳に取り付ける為の取り付け部とからなる一側性難聴表示具を提供する。【００１１】  かかる一側性難聴表示具において、前記表示領域は交換可能に形成することができる。即ち、当該表示領域を差し替え可能に形成したり、磁石や吸盤又はゲルなどにより着脱自在に形成することができる。【００１２】  また、前記一側性難聴表示具において、前記表示部は難聴耳又は良耳を覆う大きさに形成することができ、前記取り付け部は、右耳と左耳の両方に取り付けできるように、左右乃至は表裏の互換性を有するように形成することができる。【００１３】  そして本発明に係る一側性難聴表示具の実施形態では、前記表示部において表示領域が存在する面の反対側の面には、当該面と交差する向きに突出する接合棒を設けており、前記取り付け部は、耳介の裏側に嵌る形状であって、当該取り付け部の厚さ方向の両側から前記接合棒を挿入可能とした接合孔を備えて形成することができ、前記接合孔に前記接合棒を内挿することにより、前記表示部と前記取り付け部とが連結する一側性難聴表示具とすることができる。【００１４】  また他の実施形態では、前記取り付け部は、耳介の裏側に嵌る形状に形成し、その先端側には前記表示部を水平揺動自在に連結した一側性難聴表示具とすることができる。【００１５】  また他の実施の形態では、前記取り付け部は、前記表示部において表示領域が存在する面の裏側に曲折する耳掛け部として形成し、当該耳掛け部には、耳介における耳輪を内挿する耳掛け孔を設けた一側性難聴表示具とすることができる。【００１６】  また他の実施の形態では、前記表示部は、耳介を覆う大きさに形成し、前記取り付け部は、当該表示部の縁部に、前記耳介の耳輪の裏側に回り込んで、当該耳輪を覆う形状に形成した一側性難聴表示具とすることができる。【００１７】  そして上記本発明に係る一側性難聴表示具では、一側性難聴における難聴耳がどちらかを知らせる一側性難聴表示具とすることができる。即ち、前記表示部は耳介を塞ぐ大きさに形成し、前記表示部の表示領域には、難聴耳であることを知らせる為の文字、図柄、及び記号の少なくとも何れかを表示している一側性難聴表示具とすることができる。
【発明の効果】
【００１８】  本発明の一側性難聴表示具は、難聴耳又は良耳を特定する為の文字、図柄、及び記号の少なくとも何れかを表示する表示領域を備えた表示部を備えていることから、一側性難聴において聴取が困難な難聴耳又は正常に聴取可能な良耳を、相手乃至は周囲の者に知らせることのできる一側性難聴表示具を提供することができる。そして前記表示部を難聴耳又は良耳に取り付ける為の取り付け部を備えることから、難聴耳又は良耳を知らせる表示部を耳に装着することができ、これにより一側性難聴であることを相手又は周囲にさりげなく且つ確実に知らせることができる。【００１９】  よって本発明に係る一側性難聴表示具によれば、片方の耳だけが聴取困難な一側性難聴において、難聴耳側、或いは正常に聴取可能な良耳側を相手に知らせることができ、これにより音声の聞き取りにくさを解消する事のできる一側性難聴表示具を提供することができる。
【図面の簡単な説明】
【００２０】
【図１】第１の実施の形態に係る一側性難聴表示具を示す分解斜視図
【図２】第１の実施の形態に係る一側性難聴表示具の分解正面図
【図３】第２の実施形態に係る一側性難聴表示具を示す斜視図
【図４】第３の実施の形態に係る一側性難聴表示具を示す斜視図
【図５】第４の実施の形態に係る一側性難聴表示具を示す斜視図
【図６】第５の実施の形態に係る一側性難聴表示具を示す斜視図
【発明を実施するための形態】
【００２１】  以下、図面を参照しながら、本実施の形態にかかる一側性難聴表示具を具体的に説明する。特に本実施の形態にかかる一側性難聴表示具は、耳に装着することで、難聴耳及び良耳を知らせる事のできる一側性難聴表示具としている。
【００２２】  図１は第１の実施の形態に係る一側性難聴表示具１１を示す分解斜視図であり、図２は当該第１の実施の形態に係る一側性難聴表示具１１の分解正面図である。この実施の形態に係る一側性難聴表示具１１は、難聴耳を特定する為の文字、図柄、及び記号の少なくとも何れかからなる難聴表示２２を表示する表示領域２１を備えた表示部２０と、当該表示部２０を難聴耳又は良耳に取り付ける為の取り付け部３０とで形成されている。かかる表示部２０と取り付け部３０は、装着時における耳への負担を軽減する為に軽量化することが望ましく、よってプラスチックや、紙、或いは布帛等を用いて形成することが望ましい。特にプラスチックを用いて中空状に形成する場合には、内部空間をハニカム構造とすることで軽量化且つ高強度を達成することができる。
【００２３】  前記表示部２０は難聴側の耳を塞ぐ大きさの略楕円形状に形成しており、その表側には難聴表示２２を表示する為の表示領域２１を設けている。かかる表示部２０は、難聴表示２２を示す表示領域２１を有すればよいことから、その他の形状であっても良く、例えば耳を塞ぐような半球形状であったり、或いは板状など各種の形状に形成することができる。特に当該表示部２０を、使用者の耳を塞ぐような大きさ及び形状とし、耳を塞ぐように取り付けることで、相手や周囲の者は視覚的に「聞こえていない」ことを直感的に理解することができる。
【００２４】  そして当該表示部２０に設ける表示領域２１は、当該領域に表示した難聴表示２２を目視できる程度の広さに形成することが望ましく、一方で余りにも目立つ大きさに形成してしまうと、装着時に邪魔になったり、装着に際して心理的な抵抗も生じてしまうことから、凡そ耳をカバーするか、それよりも僅かに小さい大きさに形成するのが望ましい。また当該表示部２０を明るい色で形成することにより、相手や周囲に対して、より分かりやすくして注意喚起を図ることができる。かかる難聴表示２２は、前記表示領域２１に直接印刷して形成する他、前記難聴表示２２を印刷した布帛を当該表示部２０に被せて設けることもできる。
【００２５】  そして当該表示領域２１に表示する難聴表示２２としては、聞こえにくいことを直感的に理解できる表示であることが望ましい。このような表示としては、例えば一般社団法人全日本難聴者・中途失聴者団体連合会が制定している聴覚障害者国内シンボルマーク（所謂「耳マーク」）、世界ろう連盟が制定している聴覚障害国際シンボルマーク、一般財団法人全日本ろうあ連盟が制定するシンボルマークなどの記号の他、難聴であることを直感させる図柄、或いは「こちらの耳は聞こえにくいです」、「難聴」等の文字であって良く、更にこれら文字、図柄、及び記号を組み合わせた難聴表示２２であっても良い。
【００２６】  上記表示部２０の裏側、即ち表示領域２１が設けられた面とは反対側の面には、接合棒２３を突出させている。かかる接合棒２３は、本実施の形態では四角柱形状に形成しているが、円柱形状、５角柱形状等、様々な形状に形成することができる。特に当該接合棒２３を角柱形状に形成することにより、後述する接合孔３３との組み合わせにおいて、当該表示部２０の取り付け方向を特定することができ、また当該表示部２０が取り付け部３０に対して自在に回転することを無くすことができる。一方で、当該接合棒２３を円柱形状に形成することにより、前記取り付け部３０に対して自在に回転させることができる。また、当該接合棒２３に対しては、これを取り付ける接合孔３３から不用意に抜け出ることが無いように、突起部２３ａを設け、前記接合孔３３との嵌合力を高めている。
【００２７】  前記表示部２０は、取り付け部３０によって使用者の耳に装着できるように構成している。この取り付け部３０は、当該第１の実施の形態に係る一側性難聴表示具１１では、耳介の裏側に嵌る形状であって、特に「フ」字状のアームとして形成している。かかる形状に形成することにより、当該取り付け部３０は耳介の裏側に密着することができ、簡単には脱落しないようにすることができる。特に当該取り付け部３０を、耳（耳介など）に着脱自在な構造とすることにより、会話する場合など、必要な時にだけ着用し、常には取り外しておくことのできる一側性難聴表示具１１とすることができる。
【００２８】  そして「フ」字状のアームとして形成した取り付け部３０には、その上部の先端側に、当該取り付け部３０の厚さ方向に貫通する接合孔３３を形成している。当該接合孔３３に前記接合棒２３を挿入することにより、前記表示部２０と前記取り付け部３０とが一体となり、両者を連結することができる。かかる接合孔３３は、厚さ方向の両側から前記接合棒２３を挿入できるように形成していることから、接合棒２３を差し込む方向によって、右耳でも左耳でも取り付けることができる。これにより難聴耳が左右どちらの耳であっても取り付け可能な一側性難聴表示具１１が実現する。
【００２９】  また、この取り付け部３０は耳（特に耳介など）と接触させて使用される事から、柔らかい布やシリコンゴムなどの柔軟材で覆うことも望ましい。装着時の耳の痛みを軽減する為である。また、当該取り付け部３０を軽量化の為にプラスチックを用いて薄肉に形成し、且つ中空に形成することもできる。特に当該取り付け部３０は、３Ｄプリンターを用いた積層造形法により形成すれば利用者ごとにオーダーメイドで製造することができ、これにより利用者の耳形状に沿った最適な取り付け部３０を形成することができる。
【００３０】  以上の様に構成した表示部２０と取り付け部３０を組み合わせ、これを聞こえにくい方の耳に装着することにより、話し相手や周囲の者は、どちらの耳が聞こえにくいかを直感的に理解することができ、その結果、話し相手や周囲の者は、正常に聞こえる良耳に向かって話や音を発することができる。
【００３１】  図３は、第２の実施形態に係る一側性難聴表示具１２を示す斜視図である。この実施形態に係る一側性難聴表示具１２は、前記図１及び２に示した実施形態の一側性難聴表示具１１に関連し、特に表示領域２１を差し替えできるように形成した実施形態の一側性難聴表示具１１となっている。即ち、この一側性難聴表示具１１は、前記表示部２０の表側にレール部２４を対向配置すると共に、前記表示領域２１を構成するプレート部材２５を、当該レール部２４に対して抜き差し自在に設けている。かかるプレート部材２５には、使用する場所に応じた様々な難聴表示２２を設けることができ、例えば国ごと、団体ごとに異なる難聴表示２２を設けたものを使用することができる。更には、当該プレート部材２５には、正常に聴取可能な良耳であることを表示する文字、図柄、及び記号の少なくとも何れかを表示する聴取表示を設けることもでき、この場合には、当該一側性難聴表示具１１を良耳側に取り付けることができる。即ち、当該表示領域２１を表示部２０に着脱自在なプレート部材２５に設ける事で、難聴耳にも良耳にも使用する事のできる一側性難聴表示具１２とすることができる。なお、当該表示領域２１をプレート部材２５に設ける構造は、以下に示す幾つかの実施の形態にかかる一側性難聴表示具１１においても適用することができる。
【００３２】  図４は第３の実施の形態に係る一側性難聴表示具１３を示す斜視図である。特にこの実施の形態に係る一側性難聴表示具１３は、表示部２０と取り付け部３０との連結構造に特徴を有している。即ち、この実施の形態に係る一側性難聴表示具１３は、前記取り付け部３０を、耳介の裏側に嵌る形状に形成すると共に、その先端側には前記表示部２０を水平揺動自在に連結して、両者を一体化している。
【００３３】  前記表示部２０は、第１の実施の形態と同じように表面に難聴表示２２を設ける表示領域２１を備えており、その裏面には、後述する取り付け部３０の先端側を軸支する「コ」字状の表示部側連結部２６を設けている。そして前記取り付け部３０は、耳介の付け根部分に沿う形状に湾曲させて、上部先端側に、前記表示部側連結部２６に挿入する差し込み（取り付け部側連結部３６）を形成している。そして当該取り付け部側連結部３６を前記表示部側連結部２６に挿入して、両者をピンによって軸支している。これにより、前記表示部２０は水平方向に揺動自在となり、右耳に装着しても、左耳に装着しても、前記表示部２０の表示領域２１を着用者の正面側に向けることができる。なお、この実施の形態では、表示部２０と取り付け部３０とを軸支によって水平方向に揺動自在としているが、その他にもユニバーサルジョイントなどによって両者を連結することもできる。
【００３４】  図５は第４の実施の形態に係る一側性難聴表示具１４を示す斜視図である。特にこの実施の形態に係る一側性難聴表示具１４は、取り付け部３０の構造に特徴を有している。即ち、この実施の形態に係る一側性難聴表示具１４は、前記取り付け部３０を、前記表示部２０において表示領域２１が存在する面の裏側に曲折する耳掛け部３１として形成しており、当該耳掛け部３１には、耳介における耳輪を内挿する耳掛け孔３２を設けて形成している。かかる一側性難聴表示具１４であれば、表示部２０と取り付け部３０を一体に形成することができ、また左右どちらの耳に装着することもできる。ただし、表示部２０と取り付け部３０を別部材として、両者を係合して一体化できるように形成しても良い。更に当該表示部２０と取り付け部３０との連結部にヒンジを設けるなどにより曲折自在に形成した場合には、使用していないときはコンパクトに折りたたむことのできる一側性難聴表示具１４が実現する。
【００３５】  特にこの実施の形態に係る一側性難聴表示具１４では、取り付け部３０（耳掛け部３１）は耳介の裏側に装着するものではなく、耳介の耳輪上方に外装する形状として形成していることから、例えば眼鏡やマスクなどの様に耳にかけて装着するものを装着している場合であっても、使用する事のできる一側性難聴表示具１４とすることができる。また前記耳掛け孔３２は、装着者の耳の形状や大きさに応じて適宜変更できるように形成するのも望ましい。
【００３６】  図６は第５の実施の形態に係る一側性難聴表示具１５を示す斜視図である。特にこの実施の形態に係る一側性難聴表示具１５は、耳（特に耳介）を覆うようにして装着できる一側性難聴表示具１５としている。即ち、この実施の形態に係る一側性難聴表示具１５は、前記表示部２０が耳介を覆う大きさに形成されており、前記取り付け部３０は、当該表示部２０の縁部に、前記耳介の耳輪の裏側に回り込んで、当該耳輪を覆う形状に形成している。かかる取り付け部３０は、装着時において耳輪の形状に沿うように変形自在であることが望ましく、よってシリコンなどの柔軟なゴム材料を用いて形成することが望ましい。また１か所又は２か所以上において耳輪を挟むクランプにより表示部２０を耳に固定するように形成しても良い。
【００３７】  以上、本実施の形態では難聴耳側に装着することで、難聴耳及び良耳を知らせる事のできる一側性難聴表示具の具体例を示したが、表示領域２１に表示する文字、図柄、及び記号の少なくとも何れかが、良耳であることを表示するものであれば、上記と同様の構成において良耳側に装着し、難聴耳及び良耳を知らせる事のできる一側性難聴表示具１１とすることもできる。この時、良耳に装着する表示部２０には、聞こえることを直感的に理解できるような文字、図柄、及び記号の少なくとも何れかを表示することができる。このような表示としては、例えばスピーカーを表す図柄や、「こちらの耳に話しかけてください」等の文字を表示することができる。なお、良耳に装着する場合には、前記表示部２０が音を遮蔽することの無いように、複数の孔を有するかメッシュ又は布帛などで形成することが望ましい。
【産業上の利用可能性】
【００３８】  本発明の一側性難聴表示具は、特に一側性難聴であり、どちらの耳が難聴で、どちらの耳が良耳かを、話し相手や周囲の者に知らせる為の道具として利用することができる。よって当該一側性難聴表示具は、介護用品や高齢者における生活用品としても利用することができる。
【符号の説明】
【００３９】１１，１２，１３，１４，１５    一側性難聴表示具
２０    表示部
２１    表示領域
２２    難聴表示
２３    接合棒
２３ａ  突起部
２４    レール部
２５    プレート部材
２６    表示部側連結部
３０    取り付け部
３１    耳掛け部
３２    耳掛け孔
３３    接合孔
３６    取り付け部側連結部
【図１】
2020137105.tif 000003
【図２】
2020137105.tif 000004
【図３】
2020137105.tif 000005
【図４】
2020137105.tif 000006
【図５】
2020137105.tif 000007
【図６】
2020137105.tif 000008